(57)【要約】【課題】本発明は、増幅装置を増幅制御装置に新規に又は交換で接続するにあたり、過大なアイドリング電流を流すことなく、所望のバイアス電圧を設定することを目的とする。【解決手段】本発明の増幅装置２は、入力電力を出力電力に増幅する増幅器２１と、増幅器２１にバイアス電圧が印加されている増幅器２１のアイドリング状態における増幅器２１のアイドリング電流値が、目標の電流値（例えば、設計電流値又は定格電流値）となるような、増幅器２１のバイアス電圧値の情報を保存している増幅器バイアス電圧情報保存部２２と、を備える。本発明の増幅制御装置１は、増幅装置２から、増幅器２１のバイアス電圧値の情報を取得する増幅器バイアス電圧情報取得部１１と、増幅器バイアス電圧情報取得部１１が取得した増幅器２１のバイアス電圧値の情報に基づいて、増幅器２１のバイアス電圧を設定する増幅器バイアス電圧設定部１２と、を備える。【選択図】図１
2014007576.tif 000002
【特許請求の範囲】
【請求項１】
入力電力を出力電力に増幅する増幅器と、
前記増幅器にバイアス電圧が印加されている前記増幅器のアイドリング状態における前記増幅器のアイドリング電流値が目標の電流値となるような前記増幅器のバイアス電圧値の情報を保存している増幅器バイアス電圧情報保存部と、
を備えることを特徴とする増幅装置。
【請求項２】
入力電力を出力電力に増幅する増幅器を備える増幅装置から、前記増幅器にバイアス電圧が印加されている前記増幅器のアイドリング状態における前記増幅器のアイドリング電流値が目標の電流値となるような前記増幅器のバイアス電圧値の情報を取得する増幅器バイアス電圧情報取得部と、
前記増幅器バイアス電圧情報取得部が取得した前記増幅器のバイアス電圧値の情報に基づいて、前記増幅器のバイアス電圧を設定する増幅器バイアス電圧設定部と、
を備えることを特徴とする増幅制御装置。
【請求項３】
前記増幅装置が有する増幅器について、アイドリング状態におけるアイドリング電流値を測定する増幅器アイドリング電流測定部、をさらに備え、
前記増幅器バイアス電圧設定部は、前記増幅装置が有する増幅器について、前記増幅器アイドリング電流測定部が測定したアイドリング状態におけるアイドリング電流値が目標の電流値となるように、バイアス電圧を自動調整するとともに、前記増幅装置が備える増幅器バイアス電圧情報保存部に対して、自動調整したバイアス電圧の情報を保存する
ことを特徴とする請求項２に記載の増幅制御装置。
【発明の詳細な説明】
【技術分野】
【０００１】
本発明は、増幅器のバイアス電圧を制御する技術に関する。
【背景技術】
【０００２】
増幅器のバイアス電圧を制御する技術が、特許文献１に開示されている。特許文献１では、増幅器のバイアス情報をメモリすることにより、増幅器のバイアス電圧を制御する。
【先行技術文献】
【特許文献】
【０００３】
【特許文献１】特開２００７−０７４０３９号公報
【発明の概要】
【発明が解決しようとする課題】
【０００４】
特許文献１では、増幅器のバイアス情報を、増幅器を格納する増幅装置に保存しているのではなく、増幅器を制御する増幅制御装置に保存している。ところで、増幅装置が増幅制御装置に新規に又は交換で接続されることがありうる。
【０００５】
増幅装置が増幅制御装置に新規に接続されるときには、増幅制御装置は所望のバイアス電圧を認識することができず、高いバイアス電圧を設定することがあり、過大なアイドリング電流が流れて、過電流アラームや過発熱アラームが発生することがある。
【０００６】
増幅装置が増幅制御装置に交換で接続されるときでも、増幅制御装置は所望のバイアス電圧を認識することができず、交換後の増幅器の所望のバイアス電圧が交換前の増幅器の元々のバイアス電圧より低いときには、高いバイアス電圧を設定することがあり、過大なアイドリング電流が流れて、過電流アラームや過発熱アラームが発生することがある。
【０００７】
そこで、前記課題を解決するために、本発明は、増幅装置を増幅制御装置に新規に又は交換で接続するにあたり、過大なアイドリング電流を流すことなく、所望のバイアス電圧を設定することを目的とする。
【課題を解決するための手段】
【０００８】
上記目的を達成するために、増幅器のバイアス情報を、増幅器を制御する増幅制御装置に保存するのではなく、増幅器を格納する増幅装置に保存することとした。
【０００９】
具体的には、本発明は、入力電力を出力電力に増幅する増幅器と、前記増幅器にバイアス電圧が印加されている前記増幅器のアイドリング状態における前記増幅器のアイドリング電流値が目標の電流値となるような前記増幅器のバイアス電圧値の情報を保存している増幅器バイアス電圧情報保存部と、を備えることを特徴とする増幅装置である。
【００１０】
また、本発明は、入力電力を出力電力に増幅する増幅器を備える増幅装置から、前記増幅器にバイアス電圧が印加されている前記増幅器のアイドリング状態における前記増幅器のアイドリング電流値が目標の電流値となるような前記増幅器のバイアス電圧値の情報を取得する増幅器バイアス電圧情報取得部と、前記増幅器バイアス電圧情報取得部が取得した前記増幅器のバイアス電圧値の情報に基づいて、前記増幅器のバイアス電圧を設定する増幅器バイアス電圧設定部と、を備えることを特徴とする増幅制御装置である。
【００１１】
この構成によれば、増幅装置を増幅制御装置に新規に又は交換で接続するにあたり、過大なアイドリング電流を流すことなく、所望のバイアス電圧を設定することができる。
【００１２】
また、本発明は、前記増幅装置が有する増幅器について、アイドリング状態におけるアイドリング電流値を測定する増幅器アイドリング電流測定部、をさらに備え、前記増幅器バイアス電圧設定部は、前記増幅装置が有する増幅器について、前記増幅器アイドリング電流測定部が測定したアイドリング状態におけるアイドリング電流値が目標の電流値となるように、バイアス電圧を自動調整するとともに、前記増幅装置が備える増幅器バイアス電圧情報保存部に対して、自動調整したバイアス電圧の情報を保存することを特徴とする増幅制御装置である。
【００１３】
この構成によれば、増幅装置が交換されず接続される期間は、増幅器のバイアス電圧値の自動調整を実施すれば、増幅器のバイアス電圧値の再調整値を利用することができる。
【発明の効果】
【００１４】
本発明は、増幅装置を増幅制御装置に新規に又は交換で接続するにあたり、過大なアイドリング電流を流すことなく、所望のバイアス電圧を設定することができる。
【図面の簡単な説明】
【００１５】
【図１】本発明の増幅器システムの構成を示す図である。
【発明を実施するための形態】
【００１６】
添付の図面を参照して本発明の実施形態を説明する。以下に説明する実施形態は本発明の実施の例であり、本発明は以下の実施形態に制限されるものではない。
【００１７】
本発明の増幅器システムの構成を図１に示す。増幅器システムは、増幅制御装置１及び増幅装置２から構成される。増幅制御装置１は、増幅器を制御し、増幅装置２は、増幅器を格納し、増幅装置２は、増幅制御装置１に接続される。
【００１８】
増幅制御装置１は、増幅器バイアス電圧情報取得部１１、増幅器バイアス電圧設定部１２及び増幅器アイドリング電流測定部１３から構成される。増幅装置２は、増幅器２１及び増幅器バイアス電圧情報保存部２２から構成される。
【００１９】
まず、増幅装置２を増幅制御装置１に新規に又は交換で接続するにあたり、過大なアイドリング電流を流すことなく、所望のバイアス電圧を設定する構成を説明する。
【００２０】
増幅器２１は、トランジスタ等であり、入力電力を出力電力に増幅する。増幅器バイアス電圧情報保存部２２は、増幅器２１にバイアス電圧が印加されている増幅器２１のアイドリング状態における増幅器２１のアイドリング電流値が、目標の電流値（例えば、設計電流値又は定格電流値）となるような、増幅器２１のバイアス電圧値の情報を保存している。増幅器２１のバイアス電圧値の設計値又は定格値は、増幅装置２の工場製造時に、増幅器２１のバイアス電圧値を変化させながら、増幅器２１のアイドリング電流値を測定することで、測定することができ保存することができる。
【００２１】
増幅器バイアス電圧情報取得部１１は、入力電力を出力電力に増幅する増幅器２１を備える増幅装置２から、増幅器２１にバイアス電圧が印加されている増幅器２１のアイドリング状態における増幅器２１のアイドリング電流値が、目標の電流値（例えば、設計電流値又は定格電流値）となるような、増幅器２１のバイアス電圧値の情報を取得する。増幅器バイアス電圧設定部１２は、増幅器バイアス電圧情報取得部１１が取得した増幅器２１のバイアス電圧値の情報に基づいて、増幅器２１のバイアス電圧を設定する。
【００２２】
このように、増幅装置２が増幅制御装置１に新規に又は交換で接続されるときでも、増幅制御装置１は所望のバイアス電圧を認識することができ、所望のバイアス電圧を設定することができ、高いバイアス電圧を設定することがない。よって、過大なアイドリング電流が流れず、過電流アラームや過発熱アラームが発生することがない。
【００２３】
次に、増幅制御装置１が増幅装置２の自動調整に対応する構成を説明する。増幅器アイドリング電流測定部１３は、増幅装置２が有する増幅器２１について、アイドリング状態におけるアイドリング電流値を測定する。増幅器アイドリング電流測定部１３は、増幅器２１用の電源及び増幅器２１のドレインの間に接続される。
【００２４】
増幅器バイアス電圧設定部１２は、増幅装置２が有する増幅器２１について、増幅器アイドリング電流測定部１３が測定したアイドリング状態におけるアイドリング電流値が目標の電流値（例えば、設計電流値又は定格電流値）となるように、バイアス電圧を自動調整する。ここで、増幅器バイアス電圧設定部１２が参照するアイドリング電流値の設計値又は定格値は、増幅器バイアス電圧情報取得部１１が、増幅器バイアス電圧情報保存部２２から取得し、増幅器バイアス電圧設定部１２へと通知する。そして、増幅器バイアス電圧設定部１２は、増幅器バイアス電圧情報保存部２２に対して、自動調整したバイアス電圧の情報を保存する。
【００２５】
このように、増幅制御装置１は、増幅装置２が接続された当初は、増幅器バイアス電圧情報保存部２２が保存する、増幅器２１のバイアス電圧値の初期値の情報を利用することができ、増幅装置２が交換されず接続される期間は、増幅器２１のバイアス電圧値の自動調整を実施すれば、増幅器２１のバイアス電圧値の再調整値を利用することができる。
【産業上の利用可能性】
【００２６】
本発明に係る増幅装置及び増幅制御装置は、無線通信装置の送信用の増幅器等について、増幅装置の新規接続又は交換接続において、過大なアイドリング電流を流すことなく、所望のバイアス電圧を設定することができる。
【符号の説明】
【００２７】
１：増幅制御装置
２：増幅装置
１１：増幅器バイアス電圧情報取得部
１２：増幅器バイアス電圧設定部
１３：増幅器アイドリング電流測定部
２１：増幅器
２２：増幅器バイアス電圧情報保存部
【図１】
2014007576.tif 000003